(57)【要約】  本発明は、枢動可能な接続機構、または他の可動な機械的相互接続を介して動作上、互いに接続された１つまたは２つのモジュールを含むハンドヘルド電子デバイスを対象とする。各モジュールは、反対方向を向いた２つの表面を有する。デバイスは、モジュールの表面によって担持される第１のディスプレイと、異なる表面上に設けられたテキスト入力キーパッドとをさらに含む。テキスト入力キーパッドは、親指がキーパッドの操作のための適切な位置にあるように、ユーザの手がデバイスを抱える、親指キー入力スタイルを介するテキストの入力向けに最適化される。モジュールの表面上に、ナビゲーション・コントロールが、設けられることが可能であり、デバイスを抱えている際に、ユーザの手の少なくとも１つの指、または少なくとも１つの親指によって操作されるようにサイズ設定され、位置付けられる。また、ハンドセット使用のために、第１のディスプレイよりも相当に小さくサイズ設定された第２のディスプレイ、ならびに数字入力キーパッド、オーディオ出力ポート、オーディオ入力ポート、またはそのようなデバイスの選択的ないくつかも提供されることが可能である。以上の構成要素は、２つのモジュールの１つのモジュールの表面上に設けられることが可能であり、したがって、以上のタイプの構成要素は、デバイスの様々な構成において、覆われず、アクセス可能なままである。
2008507189.tif 000002
【特許請求の範囲】
【請求項１】
反対方向を向いた第１の表面と第２の表面とをそれぞれが有し、枢動機構を介して動作上、互いに接続された第１のモジュールと第２のモジュールと、
前記モジュールの１つのモジュールの第１の表面上に設けられた第１のディスプレイと、デバイスを抱えている際の、ユーザの手の親指によるテキストの入力のために位置付けられる、前記２つのモジュールの他方のモジュールの表面上に設けられたテキスト入力キーパッドと、
前記第１のディスプレイがユーザに面して、デバイスを把持している際に、ユーザの手の少なくとも１つの指、または少なくとも１つの親指のいずれかによって操作されるようにサイズ設定され、位置付けられる、前記テキスト入力キーパッドを備えた前記表面とは異なる複数の表面の１つの表面によって担持されたナビゲーション・コントロール・システムと、
少なくともオーディオ入力ポートとオーディオ出力ポートとを含む、ハンドセット・ファンクションに関連して、前記第１のディスプレイとは異なる表面上に設けられた第２のディスプレイとを含むハンドヘルド電子デバイス。
【請求項２】
前記第１のディスプレイは、他方のモジュールの表面によって選択的に覆われる、請求項１に記載のデバイス。
【請求項３】
前記枢動機構は、平面移動機構とヒンジ機構のいずれかである、請求項１に記載のデバイス。
【請求項４】
前記ナビゲーション・コントロール・システムは、タッチパッドと複数のナビゲーション・キーの少なくとも１つを含む、請求項１に記載のデバイス。
【請求項５】
第１の対向する表面と第２の対向する表面とを有する単一モジュールと、
前記第１の表面上に設けられた第１のディスプレイとを含むハンドヘルド電子デバイスであって、
前記第２の表面は、前記第１のディスプレイがユーザに面して、デバイスを把持している際に、ユーザの手の少なくとも１つの指によって操作されるようにサイズ設定され、位置付けられるナビゲーション・コントロール・システムを担持する、ハンドヘルド電子デバイス。
【請求項６】
前記ナビゲーション・コントロール・システムは、タッチパッドと複数のナビゲーション・キーの少なくともいずれかを含む、請求項５に記載のデバイス。
【請求項７】
第１の対向する表面と第２の対向する表面とを有する単一モジュールを含み、
前記第１の表面と前記第２の表面のいずれかは、第１のディスプレイを備え、前記表面の他方の表面は、第２のディスプレイと、少なくともオーディオ入力ポートとオーディオ出力ポートを含むハンドセット・ファンクションとを備えた、ハンドヘルド電子デバイスであって、
前記第１のディスプレイがユーザに面して、デバイスを把持している際に、ユーザの手の少なくとも１つの指、または少なくとも１つの親指のいずれかによって操作されるようにサイズ設定され、位置付けられる、表面上に設けられたナビゲーション・コントロール・システムをさらに含むデバイス。
【請求項８】
前記ナビゲーション・コントロール・システムは、タッチパッドと複数のナビゲーション・キーの少なくともいずれかを含む、請求項７に記載のデバイス。
【請求項９】
前記ハンドセット・ファンクションは、数字入力キーパッドをさらに含む、請求項７に記載のデバイス。
【請求項１０】
前記ナビゲーション・コントロール・システムは、タッチパッドと複数のナビゲーション・キーの少なくともいずれかを含む、請求項７に記載のデバイス。
【発明の詳細な説明】
【技術分野】
【０００１】
本出願は、参照により全体が本明細書に組み込まれている、２００４年７月１６日に出願した米国特許仮出願第６０／５８８，４０４号の優先権を主張する。
【０００２】
本発明は、セルラー電話機、および無線通信−処理機能（ｐｒｏｃｅｓｓｉｎｇ  ｃａｐａｂｉｌｉｔｙ）を有するハンドヘルド・コンピュータ（ｈａｎｄｈｅｌｄ  ｃｏｍｐｕｔｅｒ）を含むハンドヘルド通信デバイスまたはハンドヘルド処理デバイスなどの、ハンドヘルド電子デバイスの分野に関する。より詳細には、本発明は、単純なハンドセット・スタイルの音声通信、およびより複雑なテキスト入力機能（ｃａｐａｂｉｌｉｔｙ  ｏｆ  ｔｅｘｔ−ｅｎｔｒｙ）を提供し、デバイスの使用を向上させる大きいグラフィカル・ユーザ・インタフェース−ナビゲーション制御システムを提供するハンドヘルド・デバイス（ｈａｎｄｈｅｌｄ  ｄｅｖｉｃｅ）に関する。
【背景技術】
【０００３】
セル電話機機能およびオーガナイザ機能を組み合わせて単純なデバイスにする、フィンランド国のＮｏｋｉａによって製造されるＭｏｄｅｌ  ９２１０  Ｃｏｍｍｕｎｉｃａｔｏｒなどの、いくつかのハンドヘルド・デバイスが、開発されている。このデバイスは、例えば、デバイスが、音声通信中に細いサイズで把持される従来のハンドセット・モードにおいて使用するための１セット、および電子メールのためのテキスト入力向け、およびデバイスのオーガナイザ部分を操作するために第２のセットの、２セットのキーボードとディスプレイを含む。デバイスは、ハンドセット・スタイルの構成における音声通信のため、および従来のＱｗｅｒｔｙスタイルのキーボードを介するテキスト入力のために使用されることが可能である。しかし、同時に、以上およびその他の類似のユニットは、快適なハンドセット・スタイルの音声通信のため、ならびにカナダ国のＲｅｓｅａｒｃｈ  ｉｎ  ＭｏｔｉｏｎからのＢｌａｃｋｂｅｒｒｙ製品系列によって普及させられたような、親指キー入力スタイルのテキスト入力のためには、かさばりすぎ、幅が広すぎる。
【０００４】
また、セル電話機製造業者によって、ハンドセット・スタイルの音声通信、およびメニュー駆動型グラフィカル・ユーザ・インタフェースを介する他の諸ファンクションのための非常にコンパクトな無線デバイスも、開発されている。そのようなセル電話機（ｃｅｌｌ  ｐｈｏｎｅ）には、スウェーデン国、ストックホルムのＳｏｎｙ  Ｅｒｉｃｓｓｏｎによって製造されるＭｏｄｅｌ  Ｔ６１０などの単一モジュール・デバイス、およびＭｏｔｏｒｏｌａ  ＭＰｘ２００やＳａｍｓｕｎｇ  ＳＣＨ−ｉ６００などのクラムシェル・スタイルのユニット（ｃｌａｍ−ｓｈｅｌｌ  ｓｔｙｌｅｄ  ｕｎｉｔ）が含まれる。ハンドセット・スタイルの音声通信には役立つが、それらのデバイスは、カナダ国のＲｅｓｅａｒｃｈ  ｉｎ  ＭｏｔｉｏｎからのＢｌａｃｋｂｅｒｒｙ製品系列、およびｐａｌｍＯｎｅからのＴｒｅｏ製品群によって普及させられた、親指キー入力スタイルのテキスト入力を提供できない。
【０００５】
前述したＢｌａｃｋｂｅｒｒｙ製品系列およびＴｒｅｏ製品系列は、ハンドセット・スタイルの音声通信とともに、親指キー入力スタイルのテキスト入力を可能にする。いくつかの利点を提供するものの、親指キーパッドの存在により、特に、ハンドセット・スタイルの音声通信向けに最適化されている、従来のセル電話機と比べて、ユニットの幅が、ハンドセット・モードにおける快適な使用には、広くなり過ぎる。
【０００６】
このため、コンパクトで薄いプロファイルのデバイスが、向上したハンドセット・スタイルの音声通信を可能にするとともに、テキスト入力などの、より複雑な諸機能、ならびに向上したアーゴノミクスおよび使いやすさのための大きいグラフィカル・ユーザ・インタフェース−ナビゲーション制御システムを提供する、デバイスおよび方法の必要性が、存在する。
発明の要約
【０００７】
先行技術の欠点に基づき、本発明の目的は、したがって、快適で便利なハンドセット・スタイルの音声通信のためのフォーム・ファクタを有するとともに、テキスト入力のより複雑な諸機能、および大きいグラフィカル・ユーザ・インタフェースを提供し、それらの様々なフィーチャおよび機能が、互いとの関連で損なわれないデバイスを提供することである。したがって、本発明は、デバイスのフォーム・ファクタおよび／またはファンクションに欠点があった、先行技術の限界を克服する。
【０００８】
本発明のさらなる目的は、ハンドセット・スタイルの音声通信と、快適で効率的なテキスト・メッセージングの両方、ならびにメニュー駆動型グラフィカル・ユーザ・インタフェースを介する単純で効果的なナビゲーション向けに最適化されているコンパクトで軽量のデバイスを提供することである。
【０００９】
一態様では、本発明は、したがって、各モジュールが、反対方向を向いた２つの表面を有する、枢動可能な接続機構、または他の可動な機械的相互接続を介して動作上、互いに接続された２つのモジュールを含むハンドヘルド電子デバイスを対象とする。デバイスは、その２つのモジュールの１つのモジュールの表面によって担持される第１のディスプレイと、その２つのモジュールの他方のモジュールの表面上に設けられたテキスト入力キーパッドとをさらに含む。テキスト入力キーパッドは、親指がキーパッドの操作のための適切な位置にあるように、ユーザの手がデバイスを抱える、親指キー入力を介するテキストの入力向けに最適化される。テキスト入力キーパッドを担持する表面とは異なるモジュールの表面上に、ナビゲーション・コントロールが、設けられることが可能であり、ナビゲーション・コントロールは、ユーザの親指によるテキスト入力中などの、デバイスを抱えている際に、ユーザの手の少なくとも１つの指、または少なくとも１つの親指によって操作されるようにサイズ設定され、位置付けられる。また、ハンドセット使用のために、第１のディスプレイよりも相当に小さくサイズ設定された第２のディスプレイ、ならびに数字入力キーパッド、オーディオ出力ポート、オーディオ入力ポート、またはそのようなデバイスの選択的ないくつかも提供されることが可能である。以上の構成要素は、２つのモジュールの１つのモジュールの表面上に設けられることが可能であり、したがって、以上のタイプの構成要素は、デバイスの様々な構成において、覆われず、アクセス可能なままである。
【００１０】
２つのモジュール間の可動な機械的相互接続は、平面的な動きで互いに対してスライドすること、または互いに対して回転することなどにより、２つのモジュールが、互いに対して平面的な動きで動くことを可能にする平面移動機構（ｐｌａｎａｒ  ｍｏｔｉｏｎ  ｍｅｃｈａｎｉｓｍ）などの、任意の適切なタイプであることが可能である。ヒンジ機構を含め、所望される形でモジュール間の相対的な動きを可能にする他の適切な機械的相互接続も、企図される。デバイスに関連するナビゲーション・コントロールは、タッチパッド、複数のナビゲーション・キー、またはその他の適切なインタフェース・デバイスを含むことが可能である。デバイスは、静止イメージおよび／またはビデオ・イメージを撮影するための撮像システムをさらに含むことが可能である。
【００１１】
本発明の代替の実施形態では、ハンドヘルド電子デバイスは、反対方向を向いた第１の表面と第２の表面が設けられた、単一モジュール構造を含むことが可能である。第１のディスプレイが、第１の表面上に設けられ、ナビゲーション・コントロールが、第２の表面上に設けられ、ナビゲーション・コントロールは、第１のディスプレイがユーザに面して、デバイスが、ユーザの手によって抱えられた際、ユーザの手の少なくとも１つの指によって操作されるように、サイズ設定され、位置付けられる。ディスプレイ・ナビゲーション・コントロールは、第１のディスプレイがユーザに面して、デバイスを把持した際に、ユーザの手の少なくとも１つの指もしくは親指によって操作されるためのタッチパッド、複数のナビゲーション・キー、または他の適切なインタフェース構成要素を含むことが可能である。
【００１２】
さらなる代替の実施形態として、本発明によるハンドヘルド電子デバイスは、第１のディスプレイが、第１の表面上に設けられ、第２のディスプレイが、第２の表面上に設けられた、２つの対向する表面を有する単一モジュール構造体を含むことが可能である。第１のディスプレイは、第２のディスプレイより相当に大きくサイズ設定され、デバイスは、キーパッドなどのハンドセット・フィーチャ、ならびにオーディオ入力ポートおよびオーディオ出力ポートをさらに含むことが可能である。ナビゲーション・コントロールが、その２つの表面の１つの表面上に設けられ、バッテリ電源供給装置が、その２つの表面の他方の表面によって担持される。ナビゲーション・コントロールは、第１のディスプレイがユーザに面して、デバイスを抱えた際、ユーザの手の少なくとも１つの指、または少なくとも１つの親指によって操作されるようにサイズ設定され、位置付けられる。ディスプレイ・ナビゲーション・コントロールは、ユーザの手の少なくとも１つの指、または少なくとも１つの親指によって操作されるためのタッチパッド、複数のナビゲーション・キー、またはその他の適切なインタフェースを含むことが可能である。
【００１３】
本発明の以上、およびその他の目的は、図面と合わせて、本発明の諸実施形態の詳細な説明を読むことで、明白となろう。
【発明を実施するための最良の形態】
【００１４】
次に、図面を参照すると、本発明による様々な実施形態が示されており、以下に説明される。そのような実施形態は、本発明によるハンドヘルド電子デバイスの構成、フィーチャ、および機能を表し、それらの実施形態は、本発明によるデバイスを単に例示しているので、本発明は、そのような実施形態だけに限定されない。図１〜図８を参照すると、ある実施形態によるハンドヘルド電子デバイス１０が、示されている。この実施形態では、デバイス１０は、枢動機構２５などの、可動な機械的相互接続を介して互いに接続されている、第１のモジュール１１と第２のモジュール２１とを含む。この実施形態では、枢動機構２５は、モジュール１１とモジュール２１が、枢動機構２５を中心にして互いに対して回転することを可能にする平面移動機構である。モジュール１１とモジュール２１の間の相対的な動きを、好ましくは、それらのモジュール１１および２１の間の平面的な動きによって可能にする、その他の適切な可動の機械的相互接続も、企図されており、当業者には想起されよう。別の適切な平面移動機構の例は、参照により本明細書に組み込まれている、本譲受人の米国特許第５６３８２５７号で見ることができる。
【００１５】
図１に示されるとおり、モジュール２１は、そのデバイスによる様々なファンクションを提供することが可能であり、デバイス１０が、ユーザの手の中に抱えられた際に、手の親指を使用したテキスト、または他の情報の入力のために設計された、テキスト入力キーパッド２３を含むことが可能である。図１で見られるとおり、モジュール２１が、モジュール１１に対して、図１に示された位置に移動されると、キーパッド２３は、モジュール２１の長い寸法が、ユーザの手の中に抱えられた際に、それらの手に直角に配向されて、このような形でテキスト入力を容易にするように配向される。すると、モジュール２１の寸法、したがって、キーパッド２３は、キーパッド２３の単純化された、より効果的な使用を可能にして、デバイス１０の以上の機能を円滑にする。同時に、モジュール２１が、図２に示された形でモジュール１１に対して配向されると、キーパッド２３は、デバイス１０の他の諸機能を妨げない、収容された、邪魔にならない場所に位置付けられる。
【００１６】
また、キーパッド２３が、図１に示された向きに位置付けられると、モジュール１１上に設けられたディスプレイ１２は、見られるために露出させられ、ディスプレイ１２が、キーパッド２３が使用される可能性があるテキスト入力ファンクション（ｔｅｘｔ  ｅｎｔｒｙ  ｆｕｎｃｔｉｏｎ）を円滑にする大きいディスプレイをもたらすことも認識されたい。第１のディスプレイ１２は、モジュール１１の第１の表面３０上に設けられ、図示されるとおり、モジュール１１に対してモジュール２１の向きを変えることにより、選択的に露出させられる。
【００１７】
また、モジュール１１は、当業者に知られている任意の適切なタイプであることが可能な、静止イメージ・キャプチャ用および／またはビデオ・イメージ・キャプチャ用などの、撮像システム１９を含むことも可能である。図示されるとおり、撮像システム１９は、図２および図５に示されるとおり、撮像システム１９に関連するレンズ２４の位置を変えるために、取り付け軸（ｍｏｕｎｔｉｎｇ  ａｘｉｓ）２２を中心に枢動可能である、または回転させられるように構成されてもよい。代替的に、撮像システムは、固定であり、所望される場合、イメージのキャプチャのためにデバイス１０が、適切な向きに保持されてもよく、あるいは撮像システム１９が、イメージ・キャプチャのための所望される向きに向けられることを可能にする別の適切な取り付け機構であることが可能である。
【００１８】
また、モジュール１１は、ハンドセット音声通信（ｈａｎｄｓｅｔ  ｖｏｉｃｅ  ｃｏｍｍｕｎｉｃａｔｉｏｎ）および機能（ｆｕｎｃｔｉｏｎａｌｉｔｙ）向けに最適化されたハンドセット構成要素を備えることが可能な、第１の表面３０に対向する第２の表面３２も有する。この実施形態で示されるとおり、モジュール１１の第２の表面３２は、第１のディスプレイ１２と比べて比較的小さい第２のディスプレイ１３、ならびに数字入力キーパッド１４、オーディオ出力ポート１５、およびオーディオ入力ポート１６を備えることが可能である。加えて、図２に示されるとおり、モジュール１１は、モジュール１１の表面３２上に設けられたナビゲーション・コントロール・システム２６も備えることが可能である。ナビゲーション・コントロール・システム２６は、ユーザが、デバイス１０のディスプレイ上のメニュー駆動型インタフェースを介してナビゲートすることを可能にする。望ましい構成では、ナビゲーション・コントロール２６は、デバイス１０が、ユーザの手の中に抱えられた際に、それらの手の少なくとも１つの指、または少なくとも１つの親指によって操作されるようにサイズ設定され、位置付けられ、第１のディスプレイ１２を見ているか、第２のディスプレイ１３を見ているかにかかわらず、ユーザによって操作されることが可能であるようになる。ナビゲーション・コントロール２６は、任意の適切な構成であることが可能であり、タッチパッドまたは複数のナビゲーション・キー、ジョイスティックなどを含んで、ユーザの指および／または親指による操作を容易にすることが可能である。３５および３７で示されるような、通信送信ファンクションまたは通信終了ファンクションなどの、表面３２上でユーザの指および／または親指による操作のためにアクセス可能な、さらなる制御インタフェースも、モジュール１１に関連して提供されることが可能である。さらに、デバイス１０は、図２および図５で示されるとおりモジュール１１において担持される、またはデバイス１０の様々な電気構成要素に電源を供給するように別の形で提供されることが可能なバッテリ電源３１を含む。このため、バッテリ電源３１は、モジュール１１および２１のそれぞれに関連するすべての構成要素に動作電力を供給するように使用されることが可能である。
【００１９】
図１〜図８に示される実施形態の検討から、デバイス１０は、図１および図３に示される向きにおける少なくともテキスト入力ファンクション・モードおよびデータ処理ファンクション・モード、ならびにモジュール１１および２１が、図２および図６に示されるような形で配向された際の無線ハンドセット通信において使用されるように構成されることが可能であることが、認識されるはずである。モジュール２１が、図２および図６に示されるように、モジュール１１に対して「閉じられた」位置に位置付けられると、モジュール１１に関連するディスプレイ１２は、覆われ、テキスト入力キーパッド２３は、邪魔にならないように位置付けられる。これにより、「背景技術」で説明したような、単一モジュール・セル電話機と同様の構成において、単純で効果的な無線通信のためのフォーム・ファクタがもたらされる。同時に、両方の構成において、ナビゲーション・コントロール２６は、デバイス１０が、ユーザの片手または両手の中に抱えられた際に、ユーザの手の少なくとも１つの指もしくは親指を使用したユーザによる操作および制御のために、提供される。このため、ナビゲーション・コントロール２６は、図２および図６に示されるようなデバイス１０の無線通信モード、または図１に示されるようなテキスト入力動作モードのいずれかにおいて、向上した機能を可能にする。モジュール１１とモジュール２１は、互いに対して容易に向きが変えられるので、デバイス１０の動作モードに、ユーザは、迅速に、容易に入ることができる。
【００２０】
前述したとおり、デバイス１０によって提供される様々な機能に基づき、時刻と日付、Ｃａｌｌｅｒ  ＩＤ、電話番号、その他のコンタクト情報などを表示することのような、より単純なファンクションのために使用されることが可能な第２のディスプレイ１３、ディスプレイ１３は、デバイス１０のテキスト入力ファンクション、またはその他のファンクションを向上させるように設計された第１のディスプレイ１２よりも、相当に小さくサイズ設定されることが可能である。また、情報交換および／またはバッテリ電源供給装置３１の充電のため、コンピュータまたは電源などの、他のシステムにデバイス１０を接続するため、図８に示されたような、インタフェース３４を提供することなどの、他の適切なファンクションも、デバイス１０に組み込まれることが可能である。
【００２１】
図９を参照すると、本発明の諸実施形態に関連付けられることが可能なファンクションが、示されている。そのようなファンクションおよびシステムは、本発明による諸実施形態を例示するものであるが、当業者に想起されるような、他のファンクションも提供されることが可能である。図９に示された実施形態では、本発明の実施形態によるデバイス４０のファンクションのブロック図が、示されている。処理システム４２が、マイクロプロセッサ、様々な入力−出力回路に対する電気インタフェース群、およびコンピュータ・プログラムおよびデータのための関連するメモリ、または他の適切な諸要素を含むことが可能である。無線通信のためのハンドセットとしてのデバイス４０の使用のために、プロセッサ４２は、例として、数字入力キーパッド４４、ディスプレイ４６、ならびにアンテナ５０を有する無線トランシーバ４８と対話することができる。デバイス４０のテキスト入力機能のため、処理システム４２は、テキスト入力キーパッド５２およびディスプレイ５４と対話することができる。メニュー駆動型グラフィカル・ユーザ・インタフェース、またはそのようなシステム群に対する他の適切なインタフェースを介するナビゲーションのため、処理システム４２は、ナビゲーション・コントロール５６を介する入力を可能にして、無線通信ハンドセット動作モードとテキスト入力動作モードの両方における動作を可能にするようにすることができる。電源供給装置５８や電力制御回路６０などの、他の適切なシステム群が、他のシステム群の動作のために提供されることが可能である。さらに、静止イメージおよび／またはビデオ・イメージをキャプチャするための撮像システム６２の提供などの、他の諸機能が、デバイス４０に組み込まれてもよい。また、ディスプレイ４６とディスプレイ５４の１つ、または両方に関連するタッチスクリーン・インタフェース、音声認識システム、オーディオ記録システム、あるいは通信、エンターテイメント、処理、データ格納などのために使用される、本発明によるハンドヘルド電子デバイスに関連して当業者に想起されるような、他の任意の所望されるファンクションなどの、他の諸機能も提供されることが可能である。
【００２２】
次に、図１０〜図１２を参照すると、本発明の代替の実施形態が示されている。この実施形態では、デバイス７０は、デバイス７０の第１の面７２上で従来のハンドセット機能への直接アクセスを提供する、単一モジュール・デバイスとして構成される。数字入力キーパッド７４が、オーディオ出力ポート７６およびオーディオ入力ポート７８などとともに提供されることが可能である。バッテリ電源供給装置８０が、対向する表面８０が、図示されるような所望される形で構成されることを可能にするように、表面７２に関連して提供されることが可能である。表面８０に関連して、大きいディスプレイ８２が、ナビゲーション・コントロール８４とともに提供される。この実施形態では、したがって、デバイス７０は、情報およびファンクションが、向上した形でアクセスされ、使用されることが可能な大きいグラフィカル・ユーザ・インタフェース８２を提供し、ナビゲーション・コントロール・システム８４は、デバイス７０が、ユーザの手の中に抱えられた際に、それらの手の少なくとも１つの指および／または親指によって操作されるように位置付けられる。このため、デバイス７４エンターテイメント目的の使用のため、この構成は、ユーザが、向上した形でデバイス７０内に格納されたデータにアクセスし、データを操作することができるので、以上の仕組みを介して、はるかに高い柔軟性を可能にする。同時に、デバイス７０は、ハンドセット・デバイスとしての無線通信のためのフォーム・ファクタをもたらし、ナビゲーション・コントロール・システム８４は、やはり、デバイス７０をハンドセットとして使用している際の、ユーザの手の少なくとも１つの指および／または親指による容易な操作のために位置付けられる。以上は、やはり、表面７２上に設けられたディスプレイ７５を介して、データ、またはその他の情報への容易なアクセスを可能にする。やはり、所望される場合、撮像システム８６などの、他のファンクションが、デバイス７０に組み込まれてもよい。
【００２３】
次に、図１３〜図１５を参照すると、単一モジュール設計が、やはり、第１の面上で従来の無線通信ハンドセット機能への直接アクセスを提供し、ナビゲーション・コントロール・システム、およびナビゲーション・コントロール・システムに関連する代替のディスプレイを介する向上した諸機能を提供する、代替の実施形態が示されている。この実施形態では、デバイス９０は、第１の面９２と第２の面９４とを有し、ハンドセット機能は、例えば、面９２上で提供される。数字キーパッド９６、オーディオ入力ポート９７、およびオーディオ出力ポート９８が、第１のディスプレイ１００とともに、やはり提供されることが可能である。この実施形態では、やはり表面９２に関連して、ナビゲーション・コントロール・システム１０２が、ユーザの片手または両手の中にデバイス９０が抱えられた際の、ユーザの少なくとも１つの指および／または親指による向上した単純な操作のために、位置付けられる。デバイス９０の対向する面９４上に、大きいディスプレイ１０４が、設けられることが可能であり、この実施形態で理解されるとおり、表面９２上に設けられたナビゲーション・コントロール・システム１０２の使用によって、グラフィカル・ユーザ・インタフェース１０４を介するデータまたは情報の操作を可能にする。バッテリ電源供給装置１０６などの、他の適切なシステムが提供され、カメラなどの他の任意の適切なシステムが、デバイス９０に組み込まれることが可能である。
【００２４】
図１０〜図１２および図１３〜図１５の諸実施形態では、デバイスは、デバイスに関連する情報、データ、エンターテイメント、またはその他のファンクションへのより効果的なアクセス、およびこれらを操作することを可能にする、極めてコンパクトで、快適に使用されるハンドヘルド・システムをもたらす。デバイスは、ハンドセット構成要素をデバイスの第１の面上に配置し、大きいグラフィカル・ユーザ・インタフェース・ディスプレイを対向する面上に配置して、クラムシェル構造、より長い全長、またはより大きい幅を要さないことにより、コンパクトである。また、それらの実施形態は、ハンドセット・ファンクションを、例えば、クラムシェルを開く必要なしに、またはスクリーン上のダイヤルパッドを表示させる必要なしに、ユーザが容易に利用できるようにする。また、使いやすさは、デバイス上で提供されるディスプレイの１つ、または両方に関連する様々な動作モードでアクセス可能な、それらの実施形態における、都合よく配置された、大きいナビゲーション・コントロール・システムからももたらされる。ナビゲーション・コントロールは、デバイスのサイズに影響を与えることなしに、それらの実施形態において、親指または指を使用した容易な操作を可能にする。
【００２５】
また、それらの実施形態に示される本発明の諸構成は、ナビゲーション・コントロールの位置付けが、非常にコンパクトで容易に使用されるデバイスを可能にする、例えば、デジタル音楽プレーヤに関連しても役立つ。そのため、デバイスは、音楽用のスタンドアロン・デバイスとして、またはＭＰ３、ｉＰｏｄなどの音楽プレーヤとして使用されることが可能であり、一体型の通信−エンターテイメント・デバイスとして、以上のさらなる機能を有するスマートホンに組み込まれることが可能である。ナビゲーション・コントロールの位置付けは、曲名、またはその他の情報を入力する際に使用するためのテキスト入力キーパッドとともに、よりコンパクトなユニットをもたらす。
【００２６】
次に、図１６〜図１９の実施形態を参照すると、クラムシェル、つまり、折り畳み可能な、または折り畳めるデュアル・モード・デバイスとして構成されたデバイス１１０が示されている。第１のモジュール１１１と第２のモジュール１２１が、互いに対するモジュールの折り畳み、または折り畳むことを可能にする、ヒンジ機構１２５、または他の適切な機械的相互接続を介して動作上、接続されている。モジュール１１１は、モジュール１１１の前面上に第１のディスプレイ１１２、およびナビゲーション・コントロール・システム１２６を担持する。モジュール１２１は、モジュール１２１の前面１２４上にテキスト入力キーパッド１２３を担持し、背面１２７上にハンドセット・ファンクションを担持する。ハンドセット・ファンクションは、この場合も、数字入力キーパッド１１４と、オーディオ出力ポート１１５と、オーディオ入力ポート１１６と、第２のディスプレイ１１３とを含むことが可能である。時刻と日付、Ｃａｌｌｅｒ  ＩＤ、電話番号、その他のコンタクト情報などを表示することのような、より単純なファンクションのために使用されることが可能な第２のディスプレイ１１３は、第１のディスプレイ１１２よりも相当に小さくサイズ設定される。図１の実施形態と同様に、それらの機能のそれぞれが、ハンドセット・スタイルの音声通信とともに、メニュー駆動型グラフィカル・ユーザ・インタフェースを介した快適なテキスト・メッセージングおよびナビゲーションを可能にする、コンパクトで軽量なデバイスを提供することによって向上させられる。ナビゲーション・システムは、この場合も、様々な動作モードにおける単純化された操作を可能にする形で提供され、デバイス１１０が、ユーザの片手または両手の中に抱えられている際に、ユーザの手の１つまたは複数の指および／または親指による操作を可能にする。このため、この実施形態の様々な態様は、すべてが本発明の斬新な諸態様による、前述した先行する諸実施形態に関連して理解される。
【００２７】
本発明は、本明細書でいくつかを明記した、詳細の変形、改変、および変更が行われるので、本明細書全体にわたって説明される、または添付の図面で示されるすべての内容は、例示的であり、限定的ではないと解釈されるものとする。したがって、本発明は、添付の特許請求の範囲に従って定義される。このため、本発明の概念に従って構築されるデバイス、ならびにそのようなデバイスの妥当な均等物は、本発明の諸目的を実現し、１つの機能セットの有効性のために他の機能セットを損なうことなしに、単純なハンドセット・スタイルの音声通信とともに、テキスト入力およびグラフィカル・ユーザ・インタフェースのより複雑な機能を提供するハンドヘルド・デバイスの技術を、それ以外で大幅に向上させることが明白であろう。
【図面の簡単な説明】
【００２８】
【図１】テキスト入力のための開いた位置でデバイスを示す、本発明によるデバイスの実施形態の正面図である。
【図２】図１に示された実施形態の背面図である。
【図３】図１に示されたデバイスの上端部を示す図である。
【図４】図２に示されたデバイスの上端部を示す図である。
【図５】図２に示されたデバイスを左から見た図である。
【図６】キーパッドが閉じられている以外は、図１に示されたとおりのデバイスの正面図である。
【図７】図６に示されたデバイスを左から見た図である。
【図８】図６に示されたデバイスの下端部を示す図である。
【図９】本発明によるデバイスの実施形態を示すブロック図である。
【図１０】本発明のさらなる実施形態の正面図である。
【図１１】図１０に示されたデバイスの背面図である。
【図１２】図１０に示されたデバイスの側面図である。
【図１３】本発明のさらなる実施形態の正面図である。
【図１４】図１３に示されたデバイスの背面図である。
【図１５】図１３に示されたデバイスの側面図である。
【図１６】本発明のさらなる実施形態の正面図である。
【図１７】図１６に示されたデバイスの側面図である。
【図１８】折り畳まれた際の図１６に示されたデバイスの背面図である。
【図１９】図１８に示されたデバイスの側面図である。
【図１】
2008507189.tif 000003
【図２】
2008507189.tif 000004
【図３】
2008507189.tif 000005
【図４】
2008507189.tif 000006
【図５】
2008507189.tif 000007
【図６】
2008507189.tif 000008
【図７】
2008507189.tif 000009
【図８】
2008507189.tif 000010
【図９】
2008507189.tif 000011
【図１０】
2008507189.tif 000012
【図１１】
2008507189.tif 000013
【図１２】
2008507189.tif 000014
【図１３】
2008507189.tif 000015
【図１４】
2008507189.tif 000016
【図１５】
2008507189.tif 000017
【図１６】
2008507189.tif 000018
【図１７】
2008507189.tif 000019
【図１８】
2008507189.tif 000020
【図１９】
2008507189.tif 000021
【国際調査報告】
2008507189.tif 000022